(57)【要約】【課題】  消防用ホースをコイル状に巻回したときにコンパクトに巻回することができて、収納や運搬が容易であり、且つ雄金具３がホース１５を傷つけたりコイルから脱落したりすることのないホース金具を提供することを目的とする。【解決手段】  内面に出没可能の係合片４を有する雌金具２と、先端に前記係合片４に係合する係合段部７を有する係合筒部６を有し当該係合筒部６の外周に前記係合片４の係合段部６に対する係合を解除する解除リング９を備えた雄金具３とよりなる継手金具１において、前記解除リング９が前記雌金具２内に挿入される挿入筒部１０と当該挿入筒部１０の後端に形成されたフランジ部１１とを有し、当該フランジ部１１が相対向する二箇所において外方に張り出すと共に、当該張り出し部１８に直交する位置の外周が前記挿入筒部１０にほゞ外接する直線又は挿入筒部１０より曲率半径が十分に大きい曲線で形成されている。【選択図】          図２
2009207704.tif 000002
【特許請求の範囲】
【請求項１】
内面に出没可能の係合片（４）を有する雌金具（２）と、先端に前記係合片（４）に係合する係合段部（７）を有する係合筒部（６）を有し当該係合筒部（６）の外周に前記係合片（４）の係合段部（６）に対する係合を解除する解除リング（９）を備えた雄金具（３）とよりなる継手金具（１）において、前記解除リング（９）が前記雌金具（２）内に挿入される挿入筒部（１０）と当該挿入筒部（１０）の後端に形成されたフランジ部（１１）とを有し、当該フランジ部（１１）が相対向する二箇所において外方に張り出し部（１８）を形成すると共に、当該張り出し部（１８）に直交する位置の外周に、前記挿入筒部（１０）にほゞ外接する直線又は挿入筒部（１０）より曲率半径が十分に大きい曲線よりなる切り欠き部（１９）が形成されていることを特徴とする、ホースの継手金具
【発明の詳細な説明】
【技術分野】
【０００１】
本発明はホースの継手金具に関するものであって、特に消防用ホースの継手金具に関し、さらに詳しくは、現在消防用ホースにおいて汎用されている三鉤式と呼ばれる継手金具の改良に関するものである。
【背景技術】
【０００２】
継手金具１は、図１に示すように雌金具２と雄金具３とよりなっている。雌金具２はその内面に出没可能の係合片４が設けられ、当該係合片４はばね手段５により常時内方に突出するよう付勢されており、雄金具３は雌金具２内に挿入される係合筒部６を有し、その先端に前記係合片４に係合する係合段部７が形成されている。
【０００３】
この継手金具１は、雄金具３を雌金具２の先端から挿入することにより、係合筒部６の先端で係合片４をばね手段５の弾力に抗して押し広げて係合段部７が係合片４に係合して両金具２，３が結合され、パッキン８により水密性が保持されている。また雌金具２の外周には、ゴム製の緩衝リング１４が嵌合されている。
【０００４】
そして前記雄金具３における係合筒部６には解除リング９が摺動自在且つ回転自在に嵌合されている。当該解除リング９は係合筒部６に沿って摺動して雌金具２内に挿入される挿入筒部１０と、当該挿入筒部１０の後端に形成されたフランジ部１１とよりなり、フランジ部１１を押して挿入筒部１０を雌金具２内に押し込むことにより、係合段部７に係合していた係合片４をばね手段５の弾力に抗して外方に押し広げ、係合段部７との係合を解いて雌金具２と雄金具３との結合を解除するようになっている。
【０００５】
また雌金具２及び雄金具３の後部にはそれぞれ竹の子状の凹凸１２を有する筒体１３が設けられており、当該筒体１３をホース１５の端末に挿入し、そのホース１５の外側に口巻き布１６を嵌合し、当該口巻き布１６の外側から針金１７を巻回して継手金具１とホース１５とを固定している。
【０００６】
この種の継手金具１は、前記係合片４（鉤）が雌金具２の周方向に三つ設けられていることから三鉤式と称され、筒体１３の構造は種々あるが雌金具２及び雄金具３の結合部は互換性をもって同一構造のものが使用され、現在消防用ホースの継手として最も広く使用されている。
【０００７】
ところで一般に、上記継手金具１における雄金具３の解除リング９は、そのフランジ部１１が円形のものが使用されているのであるが、雌金具２と雄金具３との結合を解除した状態においては、雄金具３の外周からフランジ部１１のみが大きく突出することとなり、種々の障害をもたらしていた。
【０００８】
一般に消防用ホースを収納する場合には、図７（ａ）に示すようにコイル状に巻回した状態で収納し、使用する場合にはこの状態のままで消防士が担いで火災現場に走り、そこで展張して必要に応じて所要数接続し、放水するのである。
【０００９】
そして消防用ホースを巻回する際には、ホース１５の中央付近で二つに折り畳み、その折畳み部を中心としてコイル状に巻回し、その外端においては、雄金具３が外力により変形したり傷付いたりして雌金具２との結合が困難になるのを防ぐために、雄金具３の外側に雌金具２側のホース端部が被さった状態とされる。
【００１０】
しかしながらこのとき、前述のように雄金具３の外周からフランジ部１１が大きく突出しているため、そのフランジ部１１の部分においてその外側のホース１５が大きく押し上げられ、ホース１５がフランジ部１１と摩擦されたり、さらにその外側から外力が加わって傷付いたりする可能性がある。これらを防ぐためにホース１５の端末部の外側に保護用の口巻き布１６を嵌合することが行われているが、巻回した消防用ホースを地面に投げ出したときなどに衝撃を受け、傷付くことがあり得る。
【００１１】
また図７（ｂ）に示すように、コイル状に堅く巻いたホース１５の外側に円形のフランジ部１１が当接するので、ホース１５とフランジ部１１との接触部は点接触となり、雄金具３とホース１５とが滑り易い。
【００１２】
そのため巻回した消防用ホースを取り扱う間に雄金具３がホース１５の間から滑って脱落し、コイル状の巻回状態が崩れることもある。消防用ホースの巻回状態が崩れると、消防用ホースの展張や結合が困難となり、一刻を争う火災現場において無用の時間を要することとなる。
【特許文献１】特開平８−７１１７２号公報
【特許文献２】特開２００１−１１６１５０号公報
【発明の開示】
【発明が解決しようとする課題】
【００１３】
本発明はかかる事情に鑑みなされたものであって、消防用ホースをコイル状に巻回したときにコンパクトに巻回することができて、収納や運搬が容易であり、且つ雄金具３がホース１５を傷つけたりコイルから脱落したりすることのないホース金具を提供することを目的とするものである。
【課題を解決するための手段】
【００１４】
而して本発明は、内面に出没可能の係合片を有する雌金具と、先端に前記係合片に係合する係合段部を有する係合筒部を有し当該係合筒部の外周に前記係合片の係合段部に対する係合を解除する解除リングを備えた雄金具とよりなる継手金具において、前記解除リングが前記雌金具内に挿入される挿入筒部と当該挿入筒部の後端に形成されたフランジ部とを有し、当該フランジ部が相対向する二箇所において外方に張り出し部を形成すると共に、当該張り出し部に直交する位置の外周に、前記挿入筒部にほゞ外接する直線又は挿入筒部より曲率半径が十分に大きい曲線よりなる切り欠き部が形成されていることを特徴とするものである。
【発明の効果】
【００１５】
本発明によれば、前記直線又は曲率半径の大きい曲線の部分がホース１５に当接せしめた状態で消防用ホースを巻くことにより、コンパクトに巻回することができるとともに、ホース１５との接触面積が大きくなって摩擦抵抗が増し、雄金具３がコイルから脱落することがなく、取り扱い易いものとなるのである。
【発明を実施するための最良の形態】
【００１６】
図２は本発明の継手金具１を示すものであり、図３及び図４はそれぞれ本発明における雄金具３及び雌金具２を示すものであって、その雌金具２と雄金具３との結合形式は前記継手金具１に示したのと同様である。
【００１７】
そして本発明においては、図２及び図３に示すように、雄金具３における解除リング９のフランジ部１１の外周形状が、相対抗する側方にのみ張り出し部１８が形成され、当該張り出し部１８に直交する図中上下位置においては、挿入筒部１０の外周にほゞ外接する直線状の切り欠き部１９が形成され、略太鼓状をなしている。
【００１８】
従って本発明においては、従来の継手金具１と同様に雌金具２と雄金具３とを結合することができると共に、雄金具３における解除リング９のフランジ部１１の張り出し部１８を雌金具２の方向に押すことにより結合を解除することができ、従来の継手金具１と全く同様に結合・解除をすることができ、また本発明における継手金具１は従来のものと完全に互換性を有している。
【００１９】
また本発明の継手金具１を使用した消防用ホースにおいては、これをコイル状に巻回したときに、図６（ａ）に示すように前記切り欠き部１９がコイル状のホース１５の外周に当接するように巻回することにより、雄金具３はコイル状のホース１５の表面に落ち着いた状態で配置され、さらに外方にも切り欠き部１９が位置するので、雌金具２側のホース１５の端末部が過度に突出することがない。従って消防用ホースの収納形体がコンパクトになるのみならず、雄金具３の外側に位置するホース１５が外力により傷つけられることがない。
【００２０】
また図６（ｂ）に示すように、コイル状に巻回されたホース１５の外周にフランジ部１１の切り欠き部１９が当接するため、その接触部は線接触となり、接触面積が大きく摩擦抵抗が大きくなるため、フランジ部１１がコイル状のホース１５に対して滑ることが少なくなり、雄金具３が巻回状態から脱落することがない。
【００２１】
先の例においては、フランジ部１１は従来の円形のフランジ部１１からその上下部に切り欠き部１９を形成した形状をなしているが、本発明においてはフランジ部１１の形状はかかる形状に限定されるものではない。
【００２２】
張り出し部１８は、雌金具２と雄金具３との結合状態を解除するために、手作業により解除リング９を雌金具２の方向に押すことができる程度の大きさと形状を有しておれば足り、具体的な形状は特に限定されない。また切り欠き部１９は、挿入筒部１０の外周面にほゞ外接する直線状であることが好ましいが、挿入筒部１０より曲率半径が十分に大きく直線に近い曲線であっても差し支えない。
【００２３】
図５は解除リング９における形状が異なる各種のフランジ部１１の形状を示すものであるが、本発明におけるフランジ部１１は、ここに示された個々の例に限定されるものではなく、各種の変形が可能である。
【産業上の利用可能性】
【００２４】
以上の説明においては、本発明は消防用ホースの継手金具として説明したが、消防用ホースに限らず三鉤式継手金具又はこれに類似する機構により結合・解除する管の継手金具についても広く適用することができる。
【図面の簡単な説明】
【００２５】
【図１】三鉤式継手金具の半裁断面図
【図２】本発明の継手金具を示すものであって、（ａ）は平面図、（ｂ）は正面図、（ｃ）は左側面図、（ｄ）は右側面図である。
【図３】本発明の継手金具の雄金具を示すものであって、（ａ）は平面図、（ｂ）は正面図、（ｃ）は左側面図、（ｄ）は右側面図である。
【図４】本発明の継手金具の雌金具を示すものであって、（ａ）は平面図、（ｂ）は右側面図、（ｃ）は左側面図である。
【図５】本発明におけるフランジ部１１の形状が異なる各種の解除リングの例を示すものである。
【図６】本発明の継手金具を取り付けた消防用ホースを巻回した状態を示すものであって、（ａ）は正面図、（ｂ）は（ａ）におけるＢ−Ｂ断面図である。
【図７】従来の継手金具を取り付けた消防用ホースを巻回した状態を示すものであって、（ａ）は正面図、（ｂ）は（ａ）におけるＢ−Ｂ断面図である。
【符号の説明】
【００２６】
１  継手金具
２  雌金具
３  雄金具
４  係合片
６  係合筒部
７  係合段部
９  解除リング
１０  挿入筒部
１１  フランジ部
１８  張り出し部
１９  切り欠き部
【図１】
2009207704.tif 000003
【図２】
2009207704.tif 000004
【図３】
2009207704.tif 000005
【図４】
2009207704.tif 000006
【図５】
2009207704.tif 000007
【図６】
2009207704.tif 000008
【図７】
2009207704.tif 000009